(57)【要約】【課題】キャビネットの各コーナーには陰極線管を取付ける為のボスを起立すると共に、該ボスを補強する為にキャビネット外面と連結するリブを設けたキャビネットのボス補強構造であって、複雑な形状でなく、シンプルな構造にて陰極線管をボスに取付けて支えると共に、ボスに作用する衝撃を緩和してキャビネット本体へ伝わらないようにしたキャビネットのボス補強構造の提供。【解決手段】リブ１３，１４には切込み１６，１６・・を形成してボス１１に作用する衝撃がリブ１３，１４の切込み１６，１６・・にて吸収されるようにしている。【選択図】        図２
2004328452.tif 000002
【特許請求の範囲】
【請求項１】
キャビネットの各コーナーには陰極線管を取付ける為のボスを起立すると共に、該ボスを補強する為にキャビネット外面と連結するリブを設けたキャビネットのボス補強構造において、上記リブには切込みを形成したことを特徴とする陰極線管を固定するキャビネットのボス補強構造。
【請求項２】
キャビネットの各コーナーには陰極線管を取付ける為のボスを起立すると共に、該ボスを補強する為にキャビネット外面と連結するリブを設けたキャビネットのボス補強構造において、上記リブには薄肉部を形成したことを特徴とする陰極線管を固定するキャビネットのボス補強構造。
【請求項３】
キャビネットの各コーナーには陰極線管を取付ける為のボスを起立すると共に、該ボスを補強する為にキャビネット外面と連結するリブを設けたキャビネットのボス補強構造において、上記リブには湾曲部を形成したことを特徴とする陰極線管を固定するキャビネットのボス補強構造。
【請求項４】
キャビネットの各コーナーには陰極線管を取付ける為のボスを起立すると共に、該ボスを補強する為にリブを外方向へ延ばしたキャビネットのボス補強構造において、上記リブとキャビネット外面との間に間隙を形成したことを特徴とする陰極線管を固定するキャビネットのボス補強構造。
【請求項５】
キャビネットの各コーナーには陰極線管を取付ける為のボスを起立すると共に、該ボスを補強する為に各リブを組合わせて形成した補強構造体を設けたキャビネットのボス補強構造において、上記補強構造体とキャビネット外面との間に間隙を形成したことを特徴とする陰極線管を固定するキャビネットのボス補強構造。
【発明の詳細な説明】
【０００１】
【発明の属する技術分野】
本発明は陰極線管を固定する為にキャビネットに設けられるボスの補強構造に関するものである。
【０００２】
【従来の技術】
テレビジョン受像機のキャビネットには非常に重い陰極線管（ＣＲＴ）が取付けられているが、従来のキャビネットは概略四角形の樹脂製枠体であり、前面には上記陰極線管が取付けられ、画像表示面が配置される開口窓を有している。そして、陰極線管のコーナーから延びるブラケットは、開口窓の周囲に形成されるキャビネット前面に設けられているボスにネジ止めされる。
【０００３】
該ボスにはネジ穴が形成されて陰極線管のブラケットがネジ止めされる訳であるが、前面から起立するだけでは強度的に弱いために、キャビネットの外面との間に補強リブを形成している。ところが、陰極線管の重量負荷にてボスが撓み変形するならば、補強リブを介してキャビネット外面に伝わり、外面が変形してその部分が白く変色する。
【０００４】
そこで、このような問題点を解決する為に実用新案登録第３０７３８４２号に係る「テレビジョンキャビネット」が知られている。これは、キャビネットに大きな荷重や衝撃が加わった時に、陰極線管取付け用ボスの周囲でのキャビネット外面の変形に基づく白化を防止することを目的としている。そこで、陰極線管取付け用のボス近傍箇所に設けた板状片部に補強リブを設けている。ボスは三角形の構造体の内側に配置し、ボスや構造体の端面に重ね合わせた陰極線管取付け用ブラケットをボルトで締付けしている。
【０００５】
従って、三角形の構造体で囲まれたボスの強度は高くなるが、剛性が高くなり過ぎて衝撃を吸収する機能が低下し、例えば２０インチ以上の大型テレビの陰極線管を取付ける場合には、作用する衝撃が非常に大きくなって三角形構造体の一部に亀裂が発生したり、時には破損する虞がある。このような衝撃は、梱包された大型テレビを輸送する場合で、トラック便等にて積み下ろしする際に発生することが多い。
【０００６】
又、ボスの周りを三角形構造体で囲んだり、三角形構造体の板状片部に補強リブを設けたり、ボスと三角形構造体を繋ぐ支持片部、及び三角形構造体とキャビネット側板を繋ぐ支え片部を形成することで、ボスの周囲は複雑な形状となり、成形金型の製作は容易でなく、勿論、金型代は高くなる。反面、金型の寿命は低下し、製品コストに転化される。
【０００７】
一方、ボスの周りに三角形構造体を設けるなど複雑化することで、キャビネットを成形するに必要な材料が多くなり、材料代が高騰する。さらに、キャビネットのコーナー部には、陰極線管を取付ける為の三角形構造体を形成することで、該コーナー部の余分な空間が無くなって、内部の配線が陰極線管取付け時に挟まって断線しないように注意しなくてはならず、時には配線を処理する別部品を用いることが必要となる。
【０００８】
【発明が解決しようとする課題】
このように、陰極線管を取付けるキャビネット構造には上記のごとき問題がある。本発明が解決しようとする課題はこれら問題点であり、複雑な形状でなく、至ってシンプルな構造にて陰極線管をボスに取付けて支えると共に、ボスに作用する衝撃を緩和してキャビネット本体へ伝わらないようにしたボスの補強構造を提供する。
【０００９】
【課題を解決する為の手段】
本発明は非常に重い陰極線管を取付ける為に、キャビネットのコーナーに形成したボスを補強すると共に、キャビネット本体となる外面に該ボスに作用する衝撃が伝わらないように構成するボスの補強構造である。そこで、キャビネットの各コーナーには前面からボスを起立すると共に、該ボスを補強する為にキャビネット外面とボスを連結するリブを設けている。リブの本数は特に限定しないが、一般的にはキャビネットコーナーに起立するボスを中心とした対称位置に設けることが出来る。
【００１０】
ところで、上記リブには切込みを形成し、ボスに作用する衝撃を該切込みにて吸収する構造としている。すなわち、重い陰極線管に作用する衝撃により、ボスが撓み変形しても、リブを介してキャビネット外面へ伝わらないように切込みにて吸収される。ここで、切込みの形態は自由であり、概略Ｖ形又は概略Ｕ形とし、又切込みの代わりにリブの一部を薄肉化することも出来る。
【００１１】
一方、上記リブは平坦面でなく、波形の湾曲面として構成することで衝撃を吸収してキャビネット外面への伝達を防止する。さらに、ボスからキャビネット外面側へ延びるリブを外面と連結することなく、間に隙間を介在する構造とするならば、ボスに作用する衝撃はキャビネット外面へ伝わることはない。以下、本発明に係る実施例を図面に基づいて詳細に説明する。
【００１２】
【実施例】
図１はテレビジョン受像機の外観を示し、同図の１はキャビネット、２は裏蓋、３は陰極線管（ＣＲＴ）を表わしている。キャビネット１は四角形の枠体を成し、陰極線管３は該キャビネット１の内部に取付けられ、陰極線管３の画像表示部４はキャビネット前面５の開口窓に嵌っている。
【００１３】
図２は本発明に係るキャビネットのボス補強構造を示す実施例であり、キャビネット１の裏側を示している。該キャビネット１は樹脂製の成形部品から成って、その形状は長方形の枠体にて構成され、上面６、下面７、及び両側面８，８を有し、後側は完全開口しているが前面５には陰極線管の画像表示部が嵌る開口窓９を形成している。そして、長方形枠体で構成されるキャビネット１の各コーナー１０，１０・・にはボス１１，１１・・が前面５から垂直に起立し、ボス１１にはネジ穴１２が設けられている。
【００１４】
このボス１１に陰極線管のコーナーから延びるブラケットがネジ止めされる訳であるが、前面５から起立しただけの４本のボス１１，１１・・では、重い陰極線管を支えることが出来ない為に同図に示すようなリブを設けている。同図に示す実施例の場合、リブは４本設けてキャビネット外面と連結している。キャビネット１のコーナー１０の近くに設けたリブ１３ａ，１３ｂと該コーナー１０から離れた位置の外面と連結しているリブ１４ａ，１４ｂの４本を有している。リブ１４ａ，１４ｂは中間に前面５から起立する支柱１５ａ，１５ｂを介在してボス１１とキャビネット外面を連結している。
【００１５】
そして、上記リブ１３ａ，１３ｂの中間部位には切込み１６，１６を有し、同じくリブ１４ａ，１４ｂにも切込み１６，１６を設けている。図３は図２のＡ−Ａ断面を示しており、リブ１３ｂ，１４ａにはその上縁から切込み１６，１６が形成されている。同図から明らかなように、ブラケットがネジ止めされるボス１１はリブ１３ａ，１３ｂ，１４ａ，１４ｂより高く、支柱１５はリブ１３ａ，１３ｂ，１４ａ，１４ｂと同じ高さと成っている。
【００１６】
図４は該キャビネット１に陰極線管１７を取付けた場合を表わしている。陰極線管１７は前面５の開口窓９より僅かに大きな長方形を成し、そのコーナーにはブラケット１８，１８・・が外方向へ延び、該ブラケット１８，１８・・はボス１１，１１・・にネジ止めされる。そこで、陰極線管１７の荷重はボス１１、及び各リブ１３ａ，１３ｂ，１４ａ，１４ｂにて負担して支えることが出来る。
【００１７】
図５はリブ１３，１４に形成している切込み１６を示す具体例であり、該切込み１６はリブ１３，１４の上縁１９から切込まれて概略Ｕ形を成している。ここで、ボス１１には陰極線管１７のブラケット１８がネジ止め固定され、該陰極線管１７の荷重がボス１１に作用し、例えば、搬送時の荷物の積み下ろしに際して右方向の衝撃が発生するならば、該衝撃はリブ１３，１４に伝わる。そして、該リブ１３，１４に形成している切込み１６を圧縮してキャビネット外面への伝達を抑制出来る。
【００１８】
すなわち、リブ１３，１４に切込み１６が形成されることで、この部分のリブ強度は低下し、ボス１１に作用する衝撃力は切込み１６を圧縮変形して吸収することが出来る。勿論、左方向への衝撃力に対しては、該切込み１６が引っ張れて拡大変形する。ただし、陰極線管１７を支える為に作用する静荷重によって該切込み１６が圧縮及び引っ張り変形することはない。
【００１９】
図６はリブ１３，１４に概略Ｖ形の切込み１６を形成した場合である。作用効果は前記図５に示した概略Ｕ形の切込みの場合と同じである。そして、図７は本発明の別形態で、該リブ１３，１４には一部に薄肉部２０を形成している。従って、該薄肉部２０の強度は低下し、ボス１１に作用する衝撃により該薄肉部２０は圧縮又は引っ張られる。従って、該薄肉部２０にて衝撃が吸収されることで、キャビネット外面への影響を抑制することが出来る。
【００２０】
図８はリブ１３，１４に湾曲部２１を形成した場合を示している。該リブ１３，１４に湾曲部２１を形成することで、湾曲部の肉厚が他の部分と同じであっても曲げ変形し易くなる。従って、該ボス１１に衝撃が作用する場合、リブ全体が変形しないで、リブ１３，１４に作用する圧縮又は引っ張り応力にて上記湾曲部２１に発生する曲げモーメントにより、曲げ変形することで該衝撃が吸収される。
【００２１】
リブに形成する切込み、薄肉部、湾曲部により衝撃を緩和してキャビネット外面の伝達を抑制出来、又これら切込み、薄肉部、及び湾曲部を組合わせて用いることも可能である。
【００２２】
図９は本発明に係る他の実施例であり、前記図２に示したボス補強構造と共通する。しかし、この実施例ではリブ１３ａ，１３ｂがキャビネット外面と連結することなく隙間２２，２２を有し、又リブ１４ａ，１４ｂの先端に設けている支柱１５ａ，１５ｂから延びる補助リブ２３ａ，２３ｂもキャビネット外面と連結しておらず、間に隙間２２，２２を設けている。これら隙間２２，２２・・は、前記実施例にて説明した切込み１６，１６・・に相当し、各リブ１３ａ，１３ｂ，１４ａ，１４ｂに作用する応力を該隙間２２，２２・・にて遮断し、キャビネット外面に伝わらないようにしている。
【００２３】
図１０に示す実施例は前記図９に類似するボスの補強構造を示している。キャビネットコーナーには前面５から起立するボス１１を設け、そして該ボス１１からリブ１３ａ，１３ｂ，１４ａ，１４ｂを外方向へ延ばしている。しかし、これらリブ１３ａ，１３ｂ，１４ａ，１４ｂはキャビネット外面に連結することなく、間には隙間、及び空間を形成している。
【００２４】
図１１に示す実施例は、リブ１１を中心として外方向にリブ２４，２４・・を放射状に延ばしている。しかし各リブ２４，２４・・はキャビネット外面との間に隙間２２，２２・・を介在している。図１２に示す実施例の場合にはボス１１の全周にリブ２４，２４・・を放射状に延ばしているが、各リブ先端はキャビネット外面と連結していない。
【００２５】
図１３に示す実施例はボス１１の周りに各リブを組合わせて形成した補強構造体２５ａ，２５ｂを設けている。そして該補強構造体２５ａ，２５ｂはキャビネット外面との間に隙間２２，２２を有している。従って、ボス１１に作用する負荷にて補強構造体２５ａ，２５ｂが変形してもキャビネット外面には影響しない。図１４も同じくボス１１には補強構造体２５を設けている。
【００２６】
以上述べたように、本発明のキャビネットのボス補強構造はキャビネット前面から起立したボスの周囲にはリブを設けてキャビネット外面と連結すると共に該リブには切込み又は薄肉部などを形成したり、又はリブとキャビネット外面との間に隙間を形成したものであって、次のような効果を得ることが出来る。
【００２７】
【発明の効果】
本発明のキャビネットのボス補強構造はキャビネット前面から起立したボスの周囲にはリブを設けてキャビネット外面と連結し、そして該リブには切込み又は薄肉部などを形成している。従って、非常に重い陰極線管を取付けるボスに大きな衝撃が作用する場合、該ボスが撓み変形すると共にボスから延びる補強リブへ伝わるが、リブに形成している切込みや薄肉部、又は湾曲部により該衝撃を吸収することが出来る。
【００２８】
又、ボスから延びるリブをキャビネット外面と連結することなく、間に隙間を設けることで、切込みと同じ作用・効果を得ることが可能となる。従って、キャビネット外面の変形は抑えられ、外面が白化する現象を防止することが出来る。また、本発明のボス補強構造はリブに切込みを形成したり、薄肉部を設けるだけであり、その構造は簡単である為に、すなわちボスの周りに細かいリブを多数設ける必要がなく、成形金型及び製作費は安くなると共にその寿命は向上する。
【００２９】
一方、リブに形成した上記切込みを利用して、例えば操作基板とスピーカーを繋ぐ線材を収容・処理することが出来る。従って、キャビネットに陰極線管を取付ける際に線材が邪魔にならずに取付けることが出来ることで、組立て時の作業性が向上する。
【図面の簡単な説明】
【図１】テレビジョン受像機の外観。
【図２】本発明のボス補強構造を備えたキャビネット。
【図３】図１のＡ−Ａ断面図。
【図４】陰極線管を取付けた場合のボス補強構造。
【図５】概略Ｕ形切込みを形成したリブ。
【図６】概略Ｖ形切込みを形成したリブ。
【図７】薄肉部を形成したリブ。
【図８】湾曲部を形成したリブ。
【図９】ボス補強構造を示す他の実施例。
【図１０】ボス補強構造を示す他の実施例。
【図１１】ボス補強構造を示す他の実施例。
【図１２】ボス補強構造を示す他の実施例。
【図１３】ボス補強構造を示す他の実施例。
【図１４】ボス補強構造を示す他の実施例。
【符号の説明】
１  キャビネット
２  裏蓋
３  陰極線管
４  画像表示部
５  前面
６  上面
７  下面
８  側面
９  開口窓
１０  コーナー
１１  ボス
１２  ネジ穴
１３  リブ
１４  リブ
１５  支柱
１６  切込み
１７  陰極線管
１８  ブラケット
１９  上縁
２０  薄肉部
２１  湾曲部
２２  隙間
２３  補助リブ
２４  リブ
２５  補強構造体
【図１】
2004328452.tif 000003
【図２】
2004328452.tif 000004
【図３】
2004328452.tif 000005
【図４】
2004328452.tif 000006
【図５】
2004328452.tif 000007
【図６】
2004328452.tif 000008
【図７】
2004328452.tif 000009
【図８】
2004328452.tif 000010
【図９】
2004328452.tif 000011
【図１０】
2004328452.tif 000012
【図１１】
2004328452.tif 000013
【図１２】
2004328452.tif 000014
【図１３】
2004328452.tif 000015
【図１４】
2004328452.tif 000016